(57)【要約】【課題】  図面を見る必要がなく、作業時間が短く、経験の多寡による作業時間のばらつきが無い墨出し作業を可能にする手立てを提供する。【解決手段】  ユニットバス設置床面の向かい合う二辺を形成する建物の一対の基礎または梁の一方に一端が他方に他端が係止可能な第一直線部材と、一端が第一直線部材に係脱可能であり且つ前記一端が第一直線部材に係止した状態で第一直線部材に直交して延在可能な第二直線部材とを備え、第一直線部材にはユニットバス支持脚とユニットバス床パンに対する湯水配管立ち上げ位置のユニットバス床パン上に設定された直交座標上での一方の軸方向の座標を示す印が表示されており、第二直線部材にはユニットバス支持脚とユニットバス床パンに対する湯水配管立ち上げ位置の前記直交座標上での他方の軸方向の座標を示す印が表示されていることを特徴とする墨出し工具を用いて墨出し作業を行う。【選択図】  図２
2009072866.tif 000002
【特許請求の範囲】
【請求項１】
ユニットバス設置床面の向かい合う二辺を形成する建物の一対の基礎または梁の一方に一端が他方に他端が係止可能な第一直線部材と、一端が第一直線部材に係脱可能であり且つ前記一端が第一直線部材に係止した状態で第一直線部材に直交して延在可能な第二直線部材とを備え、第一直線部材にはユニットバス支持脚とユニットバス床パンに対する湯水配管立ち上げ位置のユニットバス床パン上に設定された直交座標上での一方の軸方向の座標を示す印が表示されており、第二直線部材にはユニットバス支持脚とユニットバス床パンに対する湯水配管立ち上げ位置の前記直交座標上での他方の軸方向の座標を示す印が表示されていることを特徴とするユニットバス支持脚載置位置や湯水配管の立ち上げ位置をユニットバス設置床面に書き記す墨出し作業に使用される墨出し工具。
【請求項２】
第一直線部材と第二直線部材とはそれぞれ複数の側面を有する多角形断面部材であり、各側面にはそれぞれ仕様の異なるユニットバスの支持脚の座標を示す印と湯水配管の立ち上げ位置の座標を示す印とが記されており、第二直線部材は任意の側面を第一直線部材の任意の側面と同一方向へ差し向けて第一直線部材に係止可能であることを特徴とする請求項１に記載の墨出し工具。
【請求項３】
第一直線部材の一端部または両端部は、第一直線部材の延在方向に進退可能な長さ調整部材によって形成されていることを特徴とする請求項１又は２に記載の墨出し工具。
【請求項４】
第一直線部材の両端に滑り止め部材が取り付けられていることを特徴とする請求項１乃至３の何れか１項に記載の墨出し工具。
【請求項５】
第一直線部材及び／又は第二直線部材は長さ方向に分割可能であることを特徴とする請求項１乃至４の何れか１項に記載の墨出し工具。
【請求項６】
請求項１乃至５の何れか１項に記載の墨出し工具を用い、ユニットバス設置床面の向かい合う二辺を形成する建物の一対の基礎または梁の一方に第一直線部材の一端を係止させ他方に第一直線部材の他端を係止させて第一直線部材を前記基礎又は梁に固定し、第一直線部材のユニットバス支持脚の座標を示す印の位置に第二直線部材の一端を係止させ、第二直線部材のユニットバス支持脚の座標を示す印の位置でユニットバス設置床面にユニットバス支持脚載置位置を書き記し、第一直線部材の湯水配管立ち上げ位置の座標を示す印の位置に第二直線部材の一端を係止させ、第二直線部材の湯水配管立ち上げ位置の座標を示す印の位置でユニットバス設置床面に湯水配管立ち上げ位置を書き記すことを特徴とする、ユニットバス支持脚載置位置や湯水配管の立ち上げ位置をユニットバス設置床面に書き記す墨出し方法。
【発明の詳細な説明】
【技術分野】
【０００１】
本発明は、ユニットバス支持脚の載置位置や湯水配管の立ち上げ位置をユニットバス設置床面に書き記す墨出し作業に使用される墨出し工具及びユニットバス支持脚の載置位置や湯水配管の立ち上げ位置をユニットバス設置床面に書き記す墨出し方法に関するものである。
【背景技術】
【０００２】
特許文献１に開示されているように、ユニットバス設置床面から湯水配管が立ち上げられ、ユニットバス設置床面にユニットバスの支持脚が載置される。湯水配管の施工と、次工程であるユニットバスの施工とは、別々の業者により行われので、立ち上げられた湯水配管にユニットバスの支持脚が干渉するのを防止するために、ユニットバス支持脚の載置位置や湯水配管の立ち上げ位置をユニットバス設置床面に書き記す墨出し作業が、湯水配管の施工前に行われる。従来、墨出し作業は、ユニットバスの図面を現場で見て支持脚位置と湯水配管立ち上げ位置とを確認した上で、スケールを用いて行われていた。
【特許文献１】特開２００７−０１０２５１号公報
【発明の開示】
【発明が解決しようとする課題】
【０００３】
従来の墨出し作業には、現場で図面を見るので作業に長時間を要する、経験の多寡によって作業時間がばらつく等の問題があった。
本発明は上記問題に鑑みてなされたものであり、図面を見る必要がなく、作業時間が短く、経験の多寡による作業時間のばらつきが無い墨出し作業を可能にする手立てを提供することを目的とする。
【課題を解決するための手段】
【０００４】
上記課題を解決するために、本発明においては、ユニットバス設置床面の向かい合う二辺を形成する建物の一対の基礎または梁の一方に一端が他方に他端が係止可能な第一直線部材と、一端が第一直線部材に係脱可能であり且つ前記一端が第一直線部材に係止した状態で第一直線部材に直交して延在可能な第二直線部材とを備え、第一直線部材にはユニットバス支持脚とユニットバス床パンに対する湯水配管立ち上げ位置のユニットバス床パン上に設定された直交座標上での一方の軸方向の座標を示す印が表示されており、第二直線部材にはユニットバス支持脚とユニットバス床パンに対する湯水配管立ち上げ位置の前記直交座標上での他方の軸方向の座標を示す印が表示されていることを特徴とするユニットバス支持脚載置位置や湯水配管の立ち上げ位置をユニットバス設置床面に書き記す墨出し作業に使用される墨出し工具を提供する。
ユニットバス設置床面の向かい合う二辺を形成する建物の一対の基礎または梁の一方に第一直線部材の一端を係止させ他方に第一直線部材の他端を係止させて第一直線部材を前記基礎又は梁に固定し、第一直線部材のユニットバス支持脚の座標を示す印の位置に第二直線部材の一端を係止させ、第二直線部材のユニットバス支持脚の座標を示す印の位置でユニットバス設置床面にユニットバス支持脚載置位置を書き記し、第一直線部材の湯水配管立ち上げ位置の座標を示す印の位置に第二直線部材の一端を係止させ、第二直線部材の湯水配管立ち上げ位置の座標を示す印の位置でユニットバス設置床面に湯水配管立ち上げ位置を書き記すことにより、ユニットバス支持脚の載置位置や湯水配管の立ち上げ位置をユニットバス設置床面に容易に書き記すことができる。
第一直線部材と第二直線部材とに、ユニットバス床パン上に設定された直交座標上のユニットバス支持脚の座標や湯水配管の立ち上げ位置の座標が予め記されているので、墨出し作業に際してユニットバスの図面を見る必要がなく、スケールを用いる必要も無い。従って、墨出し作業時間が短縮され、経験の多寡による作業時間のばらつきを生じない。
【０００５】
本発明の好ましい態様においては、第一直線部材と第二直線部材とはそれぞれ複数の側面を有する多角形断面部材であり、各側面にはそれぞれ仕様の異なるユニットバスの支持脚の座標を示す印と湯水配管の立ち上げ位置の座標を示す印とが記されており、第二直線部材は任意の側面を第一直線部材の任意の側面と同一方向へ差し向けて第一直線部材に係止可能である。
上記構成によれば、同一の墨出し工具を用いて、仕様の異なる複数種類のユニットバスに対して墨出し作業を行うことができる。
【０００６】
本発明の好ましい態様においては、第一直線部材の一端部または両端部は、第一直線部材の延在方向に進退可能な長さ調整部材によって形成されている。
上記構成によれば、同一の墨出し工具を基礎間隔や梁間隔が異なる種々のユニットバス設置床面の墨出し作業に使用することができる。
【０００７】
本発明の好ましい態様においては、第一直線部材の両端に滑り止め部材が取り付けられている。
上記構成によれば、対向する一対の基礎又は梁の間に掛け渡した第一直線部材を前記一対の基礎又は梁に安定して固定することができる。
【０００８】
本発明の好ましい態様においては、第一直線部材及び／又は第二直線部材は長さ方向に分割可能である。
上記構成によれば、墨出し工具の持ち運びが容易になる。
【０００９】
本発明においては、上記何れかの墨出し工具を用い、ユニットバス設置床面の向かい合う二辺を形成する建物の一対の基礎または梁の一方に第一直線部材の一端を係止させ他方に第一直線部材の他端を係止させて第一直線部材を前記基礎又は梁に固定し、第一直線部材のユニットバス支持脚の座標を示す印の位置に第二直線部材の一端を係止させ、第二直線部材のユニットバス支持脚の座標を示す印の位置でユニットバス設置床面にユニットバス支持脚載置位置を書き記し、第一直線部材の湯水配管立ち上げ位置の座標を示す印の位置に第二直線部材の一端を係止させ、第二直線部材の湯水配管立ち上げ位置の座標を示す印の位置でユニットバス設置床面に湯水配管立ち上げ位置を書き記すことを特徴とする、ユニットバス支持脚載置位置や湯水配管の立ち上げ位置をユニットバス設置床面に書き記す墨出し方法を提供する。
本発明においては、第一直線部材と第二直線部材とに、ユニットバス床パン上に設定された直交座標上のユニットバス支持脚の座標や湯水配管の立ち上げ位置の座標が予め記されているので、墨出し作業に際してユニットバスの図面を見る必要がなく、スケールも用いる必要も無い。従って、墨出し作業時間が短縮され、経験の多寡による作業時間のばらつきを生じない。
【発明の効果】
【００１０】
本発明に係る墨出し工具を用いて、ユニットバス支持脚の載置位置や湯水配管の立ち上げ位置をユニットバス設置床面に容易に書き記すことができる。
【発明を実施するための最良の形態】
【００１１】
図１に示すように、墨出し工具Ａは、第一直線部材１と第二直線部材２とを備えている。
第一直線部材１は、半部分１０ａと、半部分１０ａの一端から延びる継手部材１０ａ’が一端に挿入されて半部分１０ａに連結される半部分１０ｂとから構成される長さ方向に二分割可能な正方形断面パイプ製の本体１０と、一端が半部分１０ａの他端に挿入されて半部分１０ａに連結される継手部材１１ａと継手部材１１ａの他端に取り付けられたゴム製の滑り止め部材１１ｂとを有する長さ調整部材１１と、一端が半部分１０ｂの他端に挿入されて半部分１０ｂに連結される継手部材１２ａと継手部材１２ａの他端に取り付けられたゴム製の滑り止め部材１２ｂとを有する長さ調整部材１２とを有している。第一直線部材１は更に、半部分１０ｂの前記一端近傍の側壁に螺入して半部分１０ｂの前記一端に全没した継手部材１０ａ’に係合し、半部分１０ｂを継手部材１０ａ’ひいては半部分１０ａに固定する螺子１３と、半部分１０ａの前記他端近傍の側壁に螺入して継手部材１１ａに係合し、所望の挿入位置で継手部材１１ａひいては長さ調整部材１１を半部分１０ａに固定する螺子１４と、半部分１０ｂの前記他端近傍の側壁に螺入して継手部材１２ａに係合し、所望の挿入位置で継手部材１２ａひいては長さ調整部材１２を半部分１０ｂに固定する螺子１５とを有している。
【００１２】
第二直線部材２は、半部分２０ａと、半部分２０ａの一端から延びる継手部材２０ａ’が一端に挿入されて半部分２０ａに連結される半部分２０ｂとから構成される長さ方向に二分割可能な正方形断面パイプ製の本体２０と、一端の直角折り曲げ部２１ａが半部分２０ａの中心軸線回りに回転可能に半部分２０ａの他端に取り付けられ、他端の直角折り曲げ部２１ｂが半部分２０ａの他端と協働して第一直線部材１の本体１０を挟持可能な係止金具２１と、半部分２０ｂの前記一端近傍の側壁に螺入して半部分２０ｂの前記一端に全没した継手部材２０ａ’に係合し、半部分２０ｂを継手部材２０ａ’ひいては半部分２０ａに固定する螺子２２とを有している。
【００１３】
図２に示すように、第二直線部材２の所望の側面を第一直線部材１の所望の側面と同一方向へ差し向け、係止金具２１の直角折り曲げ部２１ｂと半部分２０ａの他端とで第一直線部材１の本体１０を挟持させて、第二直線部材２の一端を第一直線部材１に係止させることができる。一端が第一直線部材１に係止した第二直線部材２は第一直線部材１に直交して延在する。前記係止を解除して第二直線部材２を第一直線部材１に沿って移動させ、任意の位置で第二直線部材２の一端を第一直線部材１に再度係止させることができる。
【００１４】
図３に示すように、建物の基礎又は梁１００で囲まれた平面視長方形のユニットバス設置床面２００に平面視長方形のユニットバス３００が設置される。ユニットバス３００は、自重と載荷重量とを支える複数の支持脚３０１〜３０９を床パン底面に備えている。ユニットバス３００が装備する図示しない浴槽や洗い場水栓に湯水を供給する湯水配管の、前記床パンに対するユニットバス設置床面２００からの立ち上げ位置３１０〜３１３が定められている。
平面視長方形の前記床パンの直交する二辺の交点Ｐを原点とし、床パンの長辺をＸ軸とし床パンの短辺をＹ軸とする直交座標系を設定すると、該直交座標系における支持脚３０１〜３０９、湯水配管の床パンに対する立ち上げ位置３１０〜３１３のＸ座標、Ｙ座標が定まる。
【００１５】
図２に示すように、第一直線部材１の所定の側面には、上記直交座標系の原点Ｐを示す印と、上記直交座標系におけるユニットバス３００の支持脚３０１〜３０９のＸ座標を示す印と、上記直交座標系における床パンに対する湯水配管の立ち上げ位置３１０〜３１３のＸ座標を示す印とが刻印されている。
図２に示すように、第二直線部材２の所定の側面には、第二直線部材２の一端が第一直線部材１に係止した時に前記直交座標系における支持脚３０１〜３０９のＹ座標を示す印と、第二直線部材２の一端が第一直線部材１に係止した時に前記直交座標系における床パンに対する湯水配管の立ち上げ位置３１０〜３１３のＹ座標を示す印とが刻印されている。
第一直線部材１の他の３側面と、第二直線部材２の他の３側面とには、それぞれユニットバス３００とは仕様が異なる３種類のユニットバスの支持脚の座標を示す印と、床パンに対する湯水配管の立ち上げ位置の座標を示す印とが刻印されている。
【００１６】
墨出し工具Ａを用いた墨出し作業を説明する。
作業者は、半部分１０ａ、１０ｂ、長さ調整部材１１、１２、係止金具２１が取り付けられた半部分２０ａ、半部分２０ｂに分解した墨出し工具Ａを作業現場まで運ぶ。
作業者は、第１直線部材１、第二直線部材２を組み立てる。第一直線部材１を組み立てる際に、作業者は、組立後の第一直線部材１の長さがユニットバス載置床面２００の向かい合う一対の短辺間の距離よりも若干短くなるように、継手部材１１ａの半部分１０ａへの挿入長さ及び／又は継手部材１２ａの半部分１０ｂへの挿入長さとを調整する。
【００１７】
作業者は、第一直線部材１の前記所定の側面を上方へ差し向けて第一直線部材１をユニットバス設置床面２００上に載置し、ユニットバス設置床面２００の一方の長辺に近接させて当該長辺に平行に延在させる。
作業者は、継手部材１１ａの半部分１０ａへの挿入長さ及び／又は継手部材１２ａの半部分１０ｂへの挿入長さを微調整して、第一直線部材の一端を形成する滑り止め部材１１ｂをユニットバス設置床面２００の向かい合う二つの短辺を形成する建物の一対の基礎または梁１００の一方に押し当てて係止し、第一直線部材の他端を形成する滑り止め部材１２ｂをユニットバス設置床面２００の向かい合う二つの短辺を形成する建物の一対の基礎または梁１００の他方に押し当てて係止する。この結果、第一直線部材１はユニットバス設置床面２００の一方の長辺に近接して当該長辺に平行に延在し、且つユニットバス設置床面２００の向かい合う二つの短辺を形成する建物の一対の基礎または梁１００に固定される。
【００１８】
作業者は、第二直線部材２の前記所定の側面を上方へ差し向け、第一直線部材１の前記所定の側面に刻印されたユニットバス支持脚３０１〜３０９のＸ座標を示す印の位置に第二直線部材２の一端を係止させ、第二直線部材２の前記所定の側面に刻印されたユニットバス支持脚３０１〜３０９のＹ座標を示す印の位置でユニットバス設置床面２００にユニットバス支持脚３０１〜３０９の載置位置を書き記す。
作業者は、第二直線部材２の前記所定の側面を上方へ差し向け、第一直線部材１の前記所定の側面に刻印された湯水配管立ち上げ位置３１０〜３１３のＸ座標を示す印の位置に第二直線部材２の一端を係止させ、第二直線部材２の前記所定の側面に刻印された湯水配管立ち上げ位置３１０〜３１３のＹ座標を示す印の位置でユニットバス設置床面２００に湯水配管立ち上げ位置３１０〜３１３を書き記す。
【００１９】
上述の手順により、作業者はユニットバス支持脚３０１〜３０９の載置位置や湯水配管の立ち上げ位置３１０〜３１３をユニットバス設置床面２００に容易に書き記すことができる。
第一直線部材１と第二直線部材２とに、直交座標上のユニットバス支持脚３０１〜３０９の座標や湯水配管の立ち上げ位置３１０〜３１３の座標が予め記されているので、墨出し作業に際してユニットバス３００の図面を見る必要がなく、スケールを用いる必要も無い。従って、墨出し作業時間が短縮され、経験の多寡による作業時間のばらつきを生じない。
【００２０】
第一直線部材１と第二直線部材２とは４つの側面を有する正方形断面部材であり、各側面にはそれぞれ仕様の異なるユニットバスの支持脚の座標を示す印と湯水配管の立ち上げ位置の座標を示す印とが記されているので、墨出し工具Ａを用いて、仕様の異なる複数種類のユニットバスについて墨出し作業を行うことができる。第一直線部材１と第二直線部材２とを、正方形断面以外の正多角形断面に形成し、各側面にそれぞれ仕様の異なるユニットバスの支持脚の座標を示す印と湯水配管の立ち上げ位置の座標を示す印とを記しても良い。
第一直線部材１の両端部は、第一直線部材１の延在方向に進退可能な長さ調整部材１１、１２によって形成されているので、墨出し工具Ａを基礎間隔や梁間隔が異なる種々のユニットバス設置床面の墨出し作業に使用することができる。第一直線部材１の一端部のみを長さ調整部材によって形成しても良い。
第一直線部材１の両端に滑り止め部材１１ｂ、１２ｂが取り付けられているので、対向する一対の基礎又は梁１００の間に掛け渡した第一直線部材１を前記一対の基礎又は梁１００に安定して固定することができる。
第一直線部材１と第二直線部材２は長さ方向に分割可能なので、墨出し工具の持ち運びは容易である。
【図面の簡単な説明】
【００２１】
【図１】本発明の実施例に係る墨出し工具の分解斜視図である。（ａ）全体斜視図であり、（ｂ）は係止金具の斜視図である。
【図２】本発明の実施例に係る墨出し工具の使用時の平面図である。
【図３】ユニットバス設置床面にユニットバスの床パンが設置された状態を示す前記床面の平面図である。
【符号の説明】
【００２２】
Ａ  墨出し工具
１  第一直線部材
２  第二直線部材
１０、２０  本体
１１、１２  長さ調整部材
１１ｂ、１２ｂ  滑り止め部材
２１  係止金具
２００  ユニットバス設置床面
３００  ユニットバス
３０１〜３０９  支持脚
３１０〜３１３  湯水配管の立ち上げ位置
【図１】
2009072866.tif 000003
【図２】
2009072866.tif 000004
【図３】
2009072866.tif 000005